(57)【特許請求の範囲】
【請求項１】
ポリアミド成分と無機微粒子を含有するポリエステル成分とからなり、一方の成分を他方の成分が完全に包囲することなく、両成分が接合された横断面を有する分割型複合繊維であって、該無機微粒子の一次平均粒子径（μｍ）とポリエステル中の無機微粒子含有量（重量％）が下式（１）〜（３）を満たし、ポリエステルの還元粘度（ηｓｐ／Ｃ）が０．６５〜０．９５であり、ポリアミドの還元粘度（ηｓｐ／Ｃ）が１．６０〜１．９０であることを特徴とする分割型複合繊維。
０．０１≦一次平均粒子径（μｍ）≦５．０              （１）
０．０５≦無機微粒子含有量（重量％）≦１０．０        （２）
０．０１≦Ｘ≦３．０                                  （３）
但し、Ｘ＝一次平均粒子径（μｍ）×無機微粒子含有量（重量％）
【請求項２】
分割度が８０％以上である請求項１に記載の分割型複合繊維。
【請求項３】
請求項１に記載の複合繊維に化学的及び／又は物理的分割処理を施すことにより得られるポリアミド極細繊維と無機微粒子含有ポリエステル極細繊維との繊維集合体。
【請求項４】
無機微粒子を含有する還元粘度（ηｓｐ／Ｃ）０．６５〜０．９５のポリエステルであって、該無機微粒子の一次平均粒子径（μｍ）とポリエステル中の該無機微粒子の含有量（重量％）が下式（１）〜（３）満たすポリエステル成分と、還元粘度（ηｓｐ／Ｃ）が１．６０〜１．９０のポリアミド成分を、一方の成分を他方の成分が完全に包囲することなく、両成分が接合された複合形態として紡糸口金から溶融紡出した後、紡出物を一旦ガラス転移点温度以下に冷却し、引き続いて雰囲気温度１００℃以上に加熱した加熱帯域を走行させ、３５００ｍ／分以上の速度で引き取ることを特徴とする分割型複合繊維の製造方法。
０．０１≦一次平均粒子径（μｍ）≦５．０              （１）
０．０５≦無機微粒子含有量（重量％）≦１０．０        （２）
０．０１≦Ｘ≦３．０                                  （３）
但し、Ｘ＝一次平均粒子径（μｍ）×無機微粒子含有量（重量％）」
【発明の詳細な説明】
【０００１】
【発明の属する技術分野】
本発明は、易分割性複合繊維及びその製造方法に関する。より詳細には、眼鏡のレンズ、カメラその他の光学的装置、鏡及び窓ガラス、ショウウィンドウ、金属製品、高級な家具、漆器、各種食器、宝飾類など各種製品のワイピングクロスや柔らかい合成紙や極細の高級風合を有する衣料用素材等に好適な分割性良好な複合繊維を断糸や毛羽が生じることなく工程性良好にかつ合理的プロセスで安価に提供するものである。
【０００２】
【従来の技術】
清掃用布帛や紙類は、セルロース系繊維などの天然物由来の繊維からなるものが多い。セルロースなどの天然物は、かなり清掃力はあるが、強度、耐久性の点で劣る。例えば、清掃中に布帛から繊維の断片が脱落し、逆に埃を発生する問題点が見られる。一方、合成繊維は、強度、耐久性の点で優れているが、清掃力の点で劣るのが実情であった。
【０００３】
近年、合成繊維のフィブリル化技術の進歩により、フィブリル化繊維で構成された布帛も用いられるようになり、一つの技術としてポリエステルとポリアミドからなる分割型複合繊維が提案されているが、布帛とした後のポリエステルとポリアミドの剥離性が十分でないため、目的とするフィブリル化が不十分であったり、また後加工工程でフィブリル化を十分に進めるため、一方の成分が膨潤化する薬剤で処理する手法等が採用されていた。
【０００４】
フィブリル化のために布帛を薬剤処理すると、（ｉ）  薬剤が布帛中に残存しやすく、染色する場合に染斑が発生したり、堅牢度が悪化する；（ｉｉ）薬剤の排液処理に多大のコストが必要となる；（ｉｉｉ）  薬剤処理により布帛が過大に収縮しすぎ、製品として好ましくない；などの問題点があった。
【０００５】
また、ポリエステルとポリアミドからなる分割型複合繊維は、紡糸と延伸が別工程のＦＯＹ的紡糸工程性、延伸工程性が悪く毛羽、断糸が発生しやすく、収率が悪く、また、ＤＳＹ又はＳＤＹの合理化プロセスであるワンステップ紡糸でも同様に毛羽、断糸が発生しやすく、コスト的に高くなるという問題点があった。
【０００６】
【発明が解決しようとする課題】
本発明は、上述の問題点に鑑みなされたものであって、その目的は、各種衣料用、非衣料用の布帛に好適な分割型複合繊維を提供するものであり、また、かかる分割型複合繊維を断糸、毛羽が生じることなく、合理的なプロセスで提供するものである。
【０００７】
【課題を解決するための手段】
即ち、本発明は、ポリアミド成分と無機微粒子を含有するポリエステル成分とからなり、一方の成分を他方の成分が完全に包囲することなく、両成分が接合された横断面を有する分割型複合繊維であって、該無機微粒子の一次平均粒子径（μｍ）とポリエステル中の無機微粒子含有量（重量％）が下式（１）〜（３）を満たし、ポリエステルの還元粘度（ηｓｐ／Ｃ）が０．６５〜０．９５であり、ポリアミドの還元粘度（ηｓｐ／Ｃ）が  １．６０〜１．９０であることを特徴とする分割型複合繊維であり、
０．０１≦一次平均粒子径（μｍ）≦５．０  （１）
０．０５≦無機微粒子含有量（重量％）≦１０．０  （２）
０．０１≦Ｘ≦３．０  （３）
但し、Ｘ＝一次平均粒子径（μｍ）×無機微粒子含有量（重量％）
また、無機微粒子を含有する還元粘度（ηｓｐ／Ｃ）０．６５〜０．９５のポリエステルであって、該無機微粒子の一次平均粒子径（μｍ）とポリエステル中の該無機微粒子の含有量（重量％）が上記式（１）〜（３）満たすポリエステル成分と、還元粘度（ηｓｐ／Ｃ）が  １．６〜  ２．２のポリアミド成分を、一方の成分を他方の成分が完全に包囲することなく、両成分が接合された複合形態として紡糸口金から溶融紡出した後、紡出物を一旦ガラス転移点温度以下に冷却し、引き続いて雰囲気温度１００℃以上に加熱した加熱帯域を走行させ、３５００ｍ／分以上の速度で引き取ることを特徴とする分割型複合繊維の製造方法であり、
さらに、本発明は、上記で得られた複合繊維に化学的及び／又は物理的分割処理を施すことにより得られるポリアミド極細繊維と無機微粒子含有ポリエステル極細繊維との繊維集合体である。なお、ここで言う繊維集合体は、糸条や布帛等の形態を含むものである。さらに、かかる繊維集合体においては、ポリエステルとポリアミドの分割が十分に行われて極細繊維の集合体となっている部分と、分割が不十分で一部しか極細繊維が形成されていない部分とが共存していても差支えない。
【０００８】
【発明の実施の形態】
本発明で用いられるポリエステル成分は、溶融紡糸可能なポリエステルであれば特に制限されないが、ポリエチレンテレフタレート、ポリブチレンテレフタレート、或いはエチレンテレフタレート単位および／またはブチレンテレフタレート単位を主たる繰り返し構成単位とし、これに少量の他の共重合単位を含有させたコポリエステルが好ましく、特にポリエチレンテレフタレートであるのがより好ましい。
【０００９】
ポリエステルとして、エチレンテレフタレート単位および／またはブチレンテレフタレート単位を主たる繰り返し単位とするコポリエステルを用いる場合は、コポリエステル中における共重合単位の割合が１０モル％以下であるのが好ましく、その際の他の共重合単位の例としては、例えば、イソフタル酸、フタル酸、２，６−ナフタリンジカルボン酸、５−アルカリ金属スルホイソフタル酸などの芳香族ジカルボン酸：シュウ酸、アジピン酸、アゼライン酸、セバシン酸などの脂肪族ジカルボン酸；トリメリット酸、ピロメリット酸などの多官能性カルボン酸：またはそれらのエステル形成性成分に由来するカルボン酸単位：ジエチレングリコール、プロピレングリコール、ブタンジオールまたはエチレングリコール、ポリエチレングリコール、グリセリン、ペンタエリスリトールなどから誘導される単位を挙げることができる。そして、コポリエステルは前記した共重合単位の１種または２種以上を含んでいることができる。
【００１０】
本発明で用られるポリエステルは、ある一定の条件を満たす無機微粒子を含有することが必要である。すなわち、本発明においてはポリエステル中の無機微粒子の一次平均粒子径（μｍ）とポリマー中の含有量（重量％）の積（Ｘ）が０．０１≦Ｘ≦３．０を満足することが重要である。
積Ｘが０．０１未満では、複合繊維にループや毛羽、繊度斑などが発生し工程性不良で好ましくないばかりでなく、得られた繊維中に未延伸部が多発し衣料用途には使用困難であるばかりか、本発明の重要な目的であるポリエステルとポリアミドの分割性が悪くなる。
分割性が不良となる理由については、現時点では明確になっていないが、後加工工程でアルカリ水溶液による処理や仮撚加工処理などの分割化促進処理を施した時に、ポリエステルとポリアミドの界面に、無機微粒子を核とする歪発生が不十分で分割性が劣ると考えられる。積Ｘが３．０を越えると後加工での分割性は良好であるが、繊維化工程中での毛羽、断糸が多発し工程性不良となり好ましくない。
【００１１】
無機微粒子の種類は、繊維を形成するポリエステルに対して劣化作用などをもたず、それ自体で安定性に優れる無機微粒子であればいずれも使用できる。本発明で有効に用い得る無機微粒子の代表例としては、シリカ、アルミナ、炭酸カルシウム、酸化チタン、硫酸バリウムなどを挙げることができ、これらの無機微粒子は単独で使用しても、または２種以上を併用してもよい。２種以上を併用して用いる場合は、それぞれの無機微粒子の粒子径（ａ１  ，ａ２  ，…ａｎ  ）と含有量（ｂ１  ，ｂ２  ，…ｂｎ  ）の積の和が上記範囲を満たす必要がある。つまり、Ｘ＝ａ１  ×ｂ１  ＋ａ２  ×ｂ２  ＋…ａｎ  ×ｂｎ  のＸが上記範囲を満たす事である。
【００１２】
また、無機微粒子の一次平均粒子径は０．０１〜５．０μｍであることが必要であり、０．０３〜３．０μｍであることがより好ましい。無機微粒子の一次平均粒子径が０．０１μｍ未満であると、延伸を行うための加熱帯域の温度や糸条の走行速度、走行糸条にかかる張力などに僅かな変動が生じても、複合繊維にループ、毛羽、繊度斑などが発生するようになる。一方、無機微粒子の一次平均粒子径が３．０μｍを超えると繊維の延伸性が低下して製糸性が不良になり、複合繊維の製造時に断糸などが発生し易くなる。ここで、無機微粒子の一次平均粒子径は、遠心沈降法を用いて測定したときの値をいう。
【００１３】
さらに、本発明において無機微粒子の含有量は、ポリエステルの重量に基づいて、０．０５〜１０．０重量％であることが必要であり、０．３〜５．０重量％であることがより好ましい。無機微粒子の含有量がポリエステルの重量に基づいて、０．１重量％未満であると延伸を行うための加熱帯域の温度や糸条の走行速度、走行糸条にかかる張力などに僅かな変動を生じても、得られる複合繊維にループや毛羽、繊度斑などが発生するようになり、一方、無機微粒子の含有量が１０．０重量％を超えると、繊維の延伸工程で無機微粒子が走行糸条と空気との間の抵抗を過度なものにして、毛羽の発生、断糸の発生などにつながり工程が不安定になる。
【００１４】
ポリエステル中への無機微粒子の添加方法は特に制限されず、ポリエステルを溶融紡出する直前までの任意の段階でポリエステル中に無機微粒子が均一に混合されているようにして添加、混合すればよい。例えば、無機微粒子はポリエステルの重縮合時の任意の時点に添加しても、重縮合の完了したポリエステル中にペレットの製造時などに後から添加しても、またはポリエステルを紡糸口金から紡出させる前の段階でポリエステル中に無機微粒子を均一に溶融混合するようにしてもよい。
【００１５】
本発明で使用されるポリエステル成分は、上記した無機微粒子の他に、必要に応じて、蛍光増白剤、安定剤、酸化防止剤、紫外線吸収剤、加水分解防止剤、帯電防止剤、難燃剤、着色剤およびその他の添加剤の１種または２種以上を含有してもよい。
【００１６】
本発明において重要なもう一つの要件は、ポリエステルが特定の範囲の還元粘度を有することである。粘度測定は、ウベローデ型粘度計を用いて、ｏ−クロルフェノール溶液中、濃度１ｇ／１００ｃｃ、３０℃で測定し、その時の還元粘度（ηｓｐ／Ｃ）が０．６５〜０．９５ｄｌ／ｇであるポリエステルが、紡糸性や得られる複合繊維の分割性の点から好ましい。還元粘度が０．６５より低いと繊維化工程中での毛羽、断糸が発生し工程性不良となるのみならず、複合繊維の分割性が悪くなり好ましくない。一方、０．９５より高くなると、同様に繊維化工程性が不良でしかも分割性が低下し好ましくない。還元粘度が０．６５〜０．９５ｄｌ／ｇの範囲が複合繊維の分割性が好適な理由としては、ポリアミド成分との延伸後の分子構造上の歪差が最大であり、かつ紡糸時の曳糸性が良好な粘度であるためと思われる。しかも後述するような高速紡糸による製造方法には、かかる粘度範囲が最良である。
【００１７】
本発明の複合繊維を構成するもう一方の複合成分のポリアミド成分としては、例えば、ナイロン４、ナイロン６、ナイロン７、ナイロン１１、ナイロン１２、ナイロン６６、ナイロン６，１０、ポリメタキシレンジアジパミド、ポリパラキシレンデカンアミド、ポリビスシクロヘキシルメタンデカンアミド及びそれらを成分とするコポリアミド等が挙げられる。好ましくは、ナイロン６及びナイロン６を主成分とするポリアミドが好適である。
【００１８】
本発明において重要なことは、ポリアミドの還元粘度が一定の範囲を満たすことであり、ウベローデ型粘度計を用い、Ｏ−クロルフェノール溶液中、濃度１ｇ／１００ｃｃ、３０℃で測定したときの還元粘度ηsp／Ｃが１．６０〜１．９０の範囲に入ることが重要である。
かかる還元粘度が１．６０未満や１．９０を越えると繊維化工程中での毛羽、断糸が発生し、工程性不良になるのみならず、複合繊維の分割性が低下する。前述したように、ポリエステルの好適な粘度範囲とポリアミドの好適な粘度範囲の組合わせにより、高速紡糸性が良く、かつ得られた複合繊維の複合二成分界面の分子構造上の歪差が最大となり、後加工工程での良好な分割性が発現すると考えられる。
【００１９】
更にポリエステル中に特定の一次平均粒子径と特定の含有量の無機微粒子が存在することにより、化学的及び物理的処理を施した時の易分割性に好適な相乗効果を及ぼしている。
【００２０】
本発明における複合繊維は、ポリアミド成分及び（該ポリアミド成分と親和性の低い）ポリエステル成分が、単一フィラメントの横断面において一方の成分が他方の成分を完全に包囲しない複合形態で、単一フィラメントの長手方向に沿って接合されているものをいい、具体的には図１に示される如きサイドバイサイド型の複合繊維、図２の如きサイドバイサイド繰返し型の複合繊維、図３〜図６の如く放射型の形状を有する成分と該放射部を補完する形状を有する他の成分からなる複合繊維、図７の如く放射型の形状を有する成分と該放射部を補完し且つ中心方向に向いたＶ字型の凹部のある形状を有する他の成分と該凹部を補完するＶ字型の形状を有する該放射型形状を有する成分と同じ成分からなる複合繊維及び図８の如く中空部分のあるサイドバイサイド繰返し型複合繊維等を挙げることができる。
【００２１】
本発明の複合繊維の大きな特徴は、該複合繊維を構成するポリエステル成分とポリアミド成分とが、アルカリ水溶液による処理、ポリアミド膨潤剤による処理等の化学的処理及び／又は仮撚加工等の物理的な処理を施すことにより容易に分割することである。
【００２２】
本発明において、「分割している」とは、例えば、複合繊維が図２の如き横断面を有する場合、各成分の接合部が分割され、Ａ成分の５本のセグメント糸とＢ成分の６本のセグメント糸からなる１１本の細繊維となっている状態をいい、また例えば該複合繊維が図５の如き横断面を有する場合も、同様に分割され、十字形の横断面を有するＡ成分の１本のセグメント糸と扇形の横断面を有するＢ成分の４本のセグメント糸からなる５本の細繊維となっている状態をいうのである。更に複合繊維が他の如何なる横断面形状を有する場合であっても、その分割している状態は、以上の記載より容易に推察できるであろう。
【００２３】
分割処理後における本発明の複合繊維の分割度は８０％以上であることが大きな特徴である。ここで、分割度とは、次の方法によって測定された値をいう。即ち、測定すべき区域にある複合繊維（分割化して繊維束の状態となっているもの、一部分割化していないものを含む）について任意の１００本の断面を観察し、実際に分割されて存在する分割後細繊維（Ｎ）を計数する。この場合全く分割化していない複合繊維は１本、また一部分割化しているものは半分割化複合繊維とそれから分割されて存在する分割細繊維本数との合計本数とする。次に該１００本の複合繊維が完全に分割化したと想定した場合に得られる分割後細繊維（Ｎｐ）を算出し、Ｎ／Ｎｐ×１００の値を分割度とする。
尚、上記分割度は、分割処理条件として、本発明の複合繊維をアルカリ水溶液（濃度４ｇ／リットル）中で、９８℃で５〜２０分間、浸漬撹拌処理し、乾燥させたものについて求める。
【００２４】
次ぎに、本発明の複合繊維の製造方法について説明する。
本発明の複合繊維の製造方法は、まず、ポリエステルとポリアミドをそれぞれ個別の押出機で溶融押出し、各々紡糸ヘッドへ導入し、目的とする個々の複合形状を形成させる紡糸口金を経由して溶融紡出する。この場合の溶融紡出温度、溶融紡出速度などは特に制限されず、ポリエステル繊維を製造するのに通常用いられているのと同様の条件下で行うことができるが、複合２成分のポリマーの融点がポリエステルが高い場合、一般に溶融紡出温度を（ポリエステルの融点＋２０℃）〜（ポリエステルの融点＋４０℃）の範囲の温度（例えば用いるポリエステルがポリエチレンテレフタレートの場合は一般に約２８０〜３００℃）にし、かつ溶融紡出速度（溶融紡出量）を約２０〜５０ｇ／紡糸孔１ｍｍ２  ・分程度とすると、品質の良好な複合繊維を良好な紡糸工程性で得ることができるので好ましい。また、紡糸口金における紡糸孔の大きさや数、紡糸孔の形状なども特に制限されず、目的とする複合繊維の単繊維繊度、総合デニール数、断面形状などに応じて調節することができる。一般に、紡糸孔（単孔）の大きさを約０．０１８〜０．０７ｍｍ２  程度にしておくのが望ましい。
紡糸口金の孔周囲にノズル汚れが堆積して糸切れが発生する場合は、ノズル孔出口がテーパー状に広がった形状にしたり、口金下雰囲気をスチームシールして酸素を遮断する手法が好ましい。
【００２５】
そして、上記によって溶融紡出した複合繊維を、一旦複合２成分ポリマーのうちガラス転移温度の低い方のポリマーのガラス転移温度以下の温度、好ましくはガラス転移温度よりも１０℃以上低い温度に冷却する。この場合の冷却方法や冷却装置としては、紡出した複合繊維をそのガラス転移温度以下に冷却できる方法や装置であればいずれでもよく特に制限されないが、紡糸口金の下に冷却風吹き付け筒などの冷却風吹き付け装置を設けておいて、紡出されてきた複合繊維に冷却風を吹き付けてガラス転移温度以下に冷却するようにするのが好ましい。その際に冷却風の温度や湿度、冷却風の吹き付け速度、紡出繊維に対する冷却風の吹き付け角度などの冷却条件も特に制限されず、口金から紡出されてきた複合繊維を繊維の揺れなどを生じないようにしながら速やかに且つ均一にガラス転移温度以下にまで冷却できる条件であればいずれでもよい。そのうちでも、一般に、冷却風の温度を約２０〜３０℃、冷却風の湿度を２０〜６０％、冷却風の吹き付け速度を０．４〜１．０ｍ／秒程度として、紡出繊維に対する冷却風の吹き付け方向を紡出方向に対して垂直にして紡出した複合繊維の冷却を行うのが、高品質の複合繊維を円滑に得ることができるので好ましい。また、冷却風吹き付け筒を用いて前記の条件下で冷却を行う場合は、紡糸口金の直下にやや間隔をあけてまたは間隔をあけないで、長さが約８０〜１６０ｃｍ程度の冷却風吹き付け筒を配置するのが好ましい。
【００２６】
次に、ガラス転移温度以下にまで冷却した複合繊維を引き続いてそのまま直接加熱帯域に導入して延伸する。加熱帯域の温度はポリエステルの種類などに応じて異なり得るが、一般にポリエステル及びポリアミドのガラス転移温度よりも４０℃以上高い温度としておくと、得られる複合繊維の物性を実用上満足のゆくものとすることができるので好ましく、例えばポリエチレンテレフタレートとナイロン６の複合繊維の場合は加熱帯域の温度を約１００℃以上とするのが好ましい。加熱帯域の上限温度は、加熱帯域内で繊維間の融着や糸切れ、単糸切れなどが生じないような温度であればよい。加熱帯域の種類や構造は、加熱帯域内を走行する複合繊維を加熱帯域内の加熱手段などに接触せずに加熱することができ、しかも加熱帯域内を走行する糸条とそれを包囲する空気との間に抵抗を生じさせて糸条張力を増大させて、繊維に延伸を生じさせることができる構造であればいずれでもよい。そのうちでも、加熱帯域としては、筒状の加熱帯域が好ましく用いられ、特に管壁自体がヒーターとなっている内径が約２０〜５０ｍｍ程度のチューブヒーターなどが好ましい。
加熱帯域の紡糸口金からの設置位置、加熱帯域の長さなどは、複合繊維の種類、複合２成分ポリマーの紡出量、複合繊維の冷却温度、複合繊維の走行速度、加熱帯域の温度、加熱帯域の内径などに応じて調節できるが、一般に紡糸口金直下から加熱帯域の入口までの距離を０．５〜３．０ｍ程度とし、そして加熱帯域の長さを１．０〜２．０ｍ程度としておくと、加熱帯域内で複合繊維を加熱して均一に円滑に延伸することができるので望ましい。
【００２７】
そして、加熱帯域で延伸された複合繊維に対して、必要に応じて油剤を付与してから、高速で引き取る。本発明では、上記した一連の工程からなる延伸した複合繊維の製造工程を、複合繊維の引取速度を３５００ｍ／分以上にして行うことが必要であり、引取速度が４０００ｍ／分以上であるのが好ましい。複合繊維の引取速度が３５００ｍ／分未満であると、加熱帯域において繊維の延伸が十分に行われなくなり、得られる複合繊維の機械的物性が低下し、しかも上記した一連の工程からなる本発明の方法が円滑に行われず、特に加熱帯域における糸条の張力変動、過加熱などが生じて、均一な延伸が行われにくくなる。また、本発明の方法を行うに当たっては、複合繊維の｛引取速度（ｍ／分）｝÷｛複合繊維の紡出量（２５ｇ／紡出孔１ｍｍ２  ・分）｝の値が約１４０〜２００の範囲になるようにするのが好ましい。
【００２８】
本発明では、最終的に得られる複合繊維の単繊維繊度や総デニール数などは特に制限されず、複合繊維の用途などに応じて適宜調節することができるが、本発明の方法は特に単繊維繊度が０．５〜６デニール、総デニール数が３０〜１５０デニールの複合繊維（マルチフィラメント糸）を製造するのに適している。
【００２９】
本発明複合繊維は、各種繊維構造物として用いることが可能である。
本発明にいう繊維構造物とは、分割型複合繊維単独よりなる編織布、不織布は言うに及ばず、分割型複合繊維を一部使用してなる編織布や不織布、例えば通常の天然繊維、化学繊維、合成繊維との交編織布、或いは混紡糸としての編織布、不織布等であっても良いが、編織布或いは不織布に占める分割型複合繊維の場合は、１０重量％以上、特に３０重量％以上である事が本発明の十分な効果が得られる点で好ましい。また編成、製織或いは不織布となした後に、必要に応じて針布起毛等による起毛を行ったものであっても本発明には何ら差しつかえない。
【００３０】
【実施例】
以下に本発明について実施例などにより具体的に説明するが、本発明はそれにより何ら限定されない。以下の例において、無機微粒子の一次平均粒子径、複合繊維の紡糸性、最終的に得られた複合繊維の強度、伸度、均一性（ウスター斑：Ｕ％）および毛羽の発生個数は、以下のようにして測定または評価した。
無機微粒子の一次平均粒子径の測定：
遠心粒径測定器（堀場製作所製「ＣＡＰＡ−５０００型」）を用いて得られた遠心沈降曲線に基づいて算出した。
複合繊維の紡糸性：
複合繊維を１００ｋｇ紡糸し、紡糸時の断糸の有無を調べると共に得られた複合繊維における毛羽の発生の有無を目視により観察して、下記に示す評価基準にしたがって評価した。
複合繊維の紡糸性の評価基準
◎：紡糸時に断糸が何ら発生せず、しかも得られた複合繊維には毛羽が全く発生しておらず、紡糸性が極めて良好である。
○：紡糸時に断糸が発生せず、そして得られた複合繊維には毛羽が僅かに発生していたが、紡糸性がほぼ良好である。
△：１００ｋｇを紡糸したときに、断糸が３回まで発生し、紡糸性が不良である。
×：１００ｋｇを紡糸したときに、断糸が３回よりも多く発生し、紡糸性が極めて不良である。
複合繊維の強度：
インストロン型の引張り試験器を用いて得られた荷重−伸長曲線より複合繊維の強度を求めた。
複合繊維の伸度：
インストロン型の引張り試験器を用いて得られた荷重−伸長曲線より複合繊維の伸度を求めた。
複合繊維の均一性（ウスター斑：Ｕ値）：
ツエルベーガー社製のウスター斑試験機を用いて、糸を電極間に一定速度で通し（糸速１００ｍ／分、レンジ±１２．５％、チャート速度１０ｃｍ／分）、断面変化に比例する電気容量の変化を連続測定し、糸の一定長さの平均偏差係数  「Ｕ％」を測定した。
複合繊維における毛羽の発生個数：
サン電子工業社製の毛羽センサーにより１０７  ｍ以上の糸長中に存在する毛羽を感知し、糸長１０６  ｍ当たりの毛羽数に換算して表示した。
【００３１】
実施例１
一次平均粒子径０．０４μｍのシリカ１．０重量％含有する還元粘度０．８５（オルソクロロフェノール中濃度１ｇ／ｄｌ，３０℃）のポリエチレンテレフタレート（以下ＰＥＴと略称する）と、還元粘度１．８０（オルソクロロフェノール中濃度１ｇ／ｄｌ，３０℃）のナイロン６を用い、それぞれを個別に溶融押出し、その後それぞれのポリマー部を図２で示されるようなＰＥＴが６層、ナイロン６が５層となる多層型複合形状を形成させる紡糸ヘッドへ供給し、計量部分の径が０．２５ｍｍφ、ランド長０．５ｍｍでしかもノズル孔出口がラッパ状に広がり出口径が０．５ｍｍφになっている２４ホール丸孔ノズルから、紡糸温度２８５℃で溶融紡出した（表１参照）。
【００３２】
紡糸口金直下に長さ１．０ｍの横吹き付け型の冷却風吹き付け装置を設置しておき、口金から紡出した複合繊維を直ちにその冷却風吹き付け装置に導入して、温度２５℃、湿度６５ＲＨ％に調整した冷却空気を０．５ｍ／秒の速度で紡出繊維に吹き付けて、繊維を５０℃以下（冷却風吹き付け装置の出口での繊維の温度＝４０℃）にまで冷却した。
【００３３】
上記で５０℃以下に冷却した複合繊維を、紡糸口金直下から１．６ｍの位置に設置した長さ１．０ｍ、内径３０ｍｍのチューブヒーター（内壁温度１８０℃）に導入してチューブヒーター内で延伸した後、チューブヒーターから出てきた繊維にガイドオイリング方式で油剤を付与し、引き続いて１対（２個）の引き取りローラを介して４３００ｍ／分の引取速度で巻取って、延伸した７５デニール２４フィラメント複合繊維を製造した（表１参照）。
上記の紡糸・延伸工程を行った際の複合繊維の紡糸性、並びに最終的に得られたポリエステル繊維の強度、伸度、均一性（ウスター斑：Ｕ％）および毛羽の発生個数を上記した方法で測定または評価したところ、表２に示すとおりであった。
得られた複合繊維で筒編地を作成し、４０ｇ／ｌの苛性ソーダー液中で９８℃下で５％アルカリ水溶液処理をした後、繊維の断面観察をしたところ、分割度９５％と良好な分割性を示していた。
【００３４】
【表１】
0003583248.tif 000002
【表２】
0003583248.tif 000003
【００３５】
実施例２〜３
実施例２はＰＥＴ中シリカ含有量を５．０重量％とし、実施例３はＰＥＴ中シリカの一次平均粒子径０．３μｍのものを用い含有量２．５重量％としたＰＥＴとしたこと以外は実施例１と同様に実施した。いずれも繊維化工程性良好でかつ得られた複合繊維の分割性も良好であった。
【００３６】
実施例４〜７
実施例４，５はＰＥＴの還元粘度をそれぞれ０．７５，０．９０とし、実施例６，７は、ナイロン６の還元粘度をそれぞれ１．６０，１．９０としたこと以外は、実施例１と同様に実施した。いずれも繊維化工程性良好でかつ得られた複合繊維の分割性も良好であった。
【００３７】
実施例８〜１０
実施例８は、複合断面形状を図６の形状とし、実施例９は、複合断面形状を図７の形状としたこと以外は実施例１と同様に実施した。実施例１０は、ＰＥＴとナイロン６の複合比率を３／１としたこと以外は実施例１と同様に実施した。いずれも繊維化工程性良好でかつ得られた複合繊維の分割性も良好であった。
【００３８】
実施例１１〜１４
実施例１１，１２は、それぞれ巻取速度を３８００ｍ／分，４８００ｍ／分とし、実施例１３，１４は、それぞれチューブヒーター雰囲気温度を２００℃，１６０℃としたこと以外は実施例１と同様に実施した。いずれも繊維化工程性良好でかつ得られた複合繊維の糸物性、分割性とも満足のいくものであった。
【００３９】
実施例１５，１６
実施例１５は、実施例１で用いたシリカの代わりに、一次平均粒子径の０．４μｍの酸化チタンを用い、ＰＥＴ中の酸化チタン含有量を０．５重量％とし、実施例１６は、シリカの代わりに一次平均粒子径０．６μｍの硫酸バリウムを用い、ＰＥＴの硫酸バリウム含有量を１．０重量％としたこと以外は、実施例１と同様に実施した。いずれも繊維化工程性良好でかつ得られた複合繊維の糸物性、分割性とも満足のいくものであった。
【００４０】
比較例１
無機微粒子を何ら添加していないＰＥＴを用いた以外は実施例１と同様にして複合繊維を製造して、その時の紡糸性、並びに最終的に得られた複合繊維の強度、伸度、均一性（ウスター斑：Ｕ％）および毛羽の発生個数を上記した方法で測定または評価したところ、下記の表１に示すとおりであった。繊維化工程性不良でかつ得られた複合繊維の分割性も不満足なレベルであった。
【００４１】
比較例２〜５
比較例２は、一次平均粒子径０．０４μｍのシリカを０．１重量％含有したＰＥＴを用い、比較例３は、一次平均粒子径０．４重量％のシリカ１０重量％含有したＰＥＴを用い、比較例４，５は、それぞれ一次平均粒子径０．４μｍの酸化チタンを０．０２重量％と１５重量％含有したＰＥＴを用いたこと以外は実施例１と同様に実施した。比較例２と４は、得られた複合繊維の分割性が実施例１と比較して低いレベルであり、不満足なものであった。比較例３，５は、いずれも繊維化工程性不良であった。
【００４２】
比較例６〜９
比較例６，７は、それぞれＰＥＴの還元粘度が０．６，１．０のものを用い、比較例８，９は、それぞれナイロン６の還元粘度が１．４，２．２のものを用いた以外は実施例１と同様に実施した。いずれも繊維化工程性が不十分であり、しかも得られた複合繊維の分割性も不満足なレベルであった。
【００４３】
比較例１０〜１１
比較例１０は、巻取速度を３２００ｍ／分とした以外は、実施例１と同様に実施した。繊維化工程性は良好であったが、得られた複合繊維の分割性は不満足なレベルであった。
比較例１１は、チューブヒーター雰囲気温度を９０℃としたこと以外は実施例１と同様に実施した。繊維化工程性不良で、得られた複合繊維の分割性も不良であった。しかも糸強度も低く、伸度が長いため、後加工工程で扱いにくい問題点も発生した。
【００４４】
【発明の効果】
本発明は、毛羽の発生や太さ斑などがなく、しかも強度や伸度などの力学的特性にも優れる高品質のポリエステルとポリアミドによる分割型複合繊維を、断糸が生ずることなく良好な工程性で直接紡糸延伸法によって生産性よく合理的に製造することに関する。しかも得られた分割型複合繊維は、後加工工程での化学的又は物理的処理により容易に分割しうる特徴を有している。
【図面の簡単な説明】
【図１】サイドバイサイド型の複合繊維の横断面図である。
【図２】サイドバイサイド繰返し型の複合繊維の横断面図である。
【図３】放射型の形状を有する成分と該放射部を補完する他の成分からなる複合繊維の横断面図である。
【図４】放射型の形状を有する成分と該放射部を補完する他の成分からなる複合繊維の横断面図である。
【図５】放射型の形状を有する成分と該放射部を補完する他の成分からなる複合繊維の横断面図である。
【図６】放射型の形状を有する成分と該放射部を補完する他の成分からなる複合繊維の横断面図である。
【図７】放射型の形状を有する成分と該放射部を補完し且つ中心方向に向いたＶ字型の凹部のある形状を有する他の成分と該凹部を補完するＶ字型の形状を有する該放射型の形状を有する成分と同じ成分からなる複合繊維の横断面図である。
【図８】中空部分のあるサイドバイサイド繰返し型の複合繊維の横断面図である。
【図１】
0003583248.tif 000004
【図２】
0003583248.tif 000005
【図３】
0003583248.tif 000006
【図４】
0003583248.tif 000007
【図５】
0003583248.tif 000008
【図６】
0003583248.tif 000009
【図７】
0003583248.tif 000010
【図８】
0003583248.tif 000011